(57)【要約】【課題】大きな発熱を伴う光源を有する光学機器において、機器自体を大型化せず、冷却部の駆動を継続させることが可能な光学機器を提供すること。【解決手段】光源１００を冷却する冷却部１０４の駆動電力を、電源回路１０１とリモコン１１０の電池１１２とから供給できるようにしておく。通常時は電源回路１０１側から供給される電力によって冷却部１０４を駆動するようにし、電源回路１０１からの電力供給が断たれたことが検出部１１７によって検出された場合には、スイッチ１０９を切り換えて、リモコン１１０側から供給される電力によって冷却部１０４を駆動する。【選択図】図１
2005274785.tif 000002
【特許請求の範囲】
【請求項１】
光を投射する光源と、
上記光源を駆動させるための電力を供給する第１の電源部と、
上記光源を冷却する冷却部と、
当該光学機器の外部から操作指示を与えるための信号を送信するリモートコントローラと、
上記リモートコントローラから上記操作指示の信号を送信させるための電力を供給する第２の電源部と、
上記第１の電源部から供給される電力によって上記冷却部を駆動させる第１の駆動モードと上記第２の電源部から供給される電力によって上記冷却部を駆動させる第２の駆動モードとを切換制御する切換制御部と、
を具備することを特徴とする光学機器。
【請求項２】
上記切換制御部は、当該光学機器の動作状態に応じて上記第１の駆動モードと上記第２の駆動モードとを切換制御することを特徴とする請求項１に記載の光学機器。
【請求項３】
上記リモートコントローラは、当該光学機器の本体部に着脱自在に構成されており、
上記切換制御部による切換制御は、上記リモートコントローラが上記光学機器の本体部に装着され、かつ上記第１の電源部から上記冷却部への電力供給が断たれたことを判定したときに、上記第１の駆動モードから上記第２の駆動モードに切り換えることにより行うことを特徴とする請求項１に記載の光学機器。
【請求項４】
上記第２の駆動モードにおいて、上記冷却部の駆動を停止させる回路は、上記第１の電源部及び上記第２の電源部とは異なる第３の電源部によって電力供給されることを特徴とする請求項１に記載の光学機器。
【請求項５】
上記第２の電源部からの電力供給が不可能な場合に警告を行う警告部を更に具備することを特徴とする請求項１に記載の光学機器。
【発明の詳細な説明】
【技術分野】
【０００１】
本発明は光学機器に関し、特にランプを利用する光学機器の発熱対策技術に関する。
【背景技術】
【０００２】
強い光の光源を利用して画像をスクリーンに投影する際の光源として、プロジェクタ等の光学機器の内部には、ＡＣ電源によって供給される大電力によって駆動されるランプが内蔵されている。このランプは、電力を光に変換する際に発熱があるので、この発熱に伴って上昇する温度を所定の温度以下に保っておかないと、ランプの寿命やランプの発光効率等に影響し、例えば、ランプによる投射光の明るさが低下したり、ランプの劣化が激しくなったりするおそれがある。このため、一般にはランプ周辺をファン等の冷却部によって冷却している。なお、この冷却部による冷却動作は、ランプによる光投射後も継続して行う事が望ましい。これは、ランプの消灯後もランプの余熱によってランプが劣化するのを防止するためである。ランプ消灯後に、冷却部を動作させる技術としては、例えばランプの消灯後に２次電池を用いて冷却を継続させる技術が、特許文献１において提案されている。
【特許文献１】特開平１１−１３３５０５号公報
【発明の開示】
【発明が解決しようとする課題】
【０００３】
しかしながら、特許文献１において提案されている技術では、ランプ消灯後に何故冷却部の動作を継続させなければならないのかについては記載されていない。また、機器内部に大型の２次電池を内蔵しておく必要があるので、機器内において空気の流れる空間が無くなり、かえって冷却性能が悪くなるおそれがある。
【０００４】
本発明は上記の事情に鑑みてなされたものであり、大きな発熱を伴う光源を有する光学機器において、機器自体を大型化せず、冷却部の駆動を継続させることが可能な光学機器を提供することを目的とする。
【課題を解決するための手段】
【０００５】
上記の目的を達成するために、本発明の第１の態様の光学機器は、光を投射する光源と、上記光源を駆動させるための電力を供給する第１の電源部と、上記光源を冷却する冷却部と、当該光学機器の外部から操作指示を与えるための信号を送信するリモートコントローラと、上記リモートコントローラから上記操作指示の信号を送信させるための電力を供給する第２の電源部と、上記第１の電源部から供給される電力によって上記冷却部を駆動させる第１の駆動モードと上記第２の電源部から供給される電力によって上記冷却部を駆動させる第２の駆動モードとを切換制御する切換制御部とを具備することを特徴とする。
【０００６】
この第１の態様によれば、第１の電源部から供給される電力が断たれた場合でも、機器外部の第２の電源部から供給される電力によって冷却部を駆動することができる。
【発明の効果】
【０００７】
本発明によれば、大きな発熱を伴う光源を有する光学機器において、機器自体を大型化せず、冷却部の駆動を継続させることが可能な光学機器を提供することができる。
【発明を実施するための最良の形態】
【０００８】
以下、図面を参照して本発明の一実施形態について説明する。  
近年、無線技術の発達により、リモコン等の遠隔操作部と機器本体との間を無線通信によって接続し、操作性を向上させた機器が多数提案されている。これにより、機器本体から離れた状態でも、機器の操作が可能であるが、リモコン側と機器側の双方に電源が必要になる。本一実施形態は、このようなリモコン側と機器側の双方に電源がある状況を有効利用したものである。
【０００９】
図１（ａ）及び図１（ｂ）に本発明の一実施形態に係る光学機器の概念を示すブロック図を示す。なお、ここでは光学機器の特に電源関連について説明する。
【００１０】
図１（ａ）において、光源１００は、ランプ等の光源であり、家庭用ＡＣ電源（以下、ＡＣ電源と称する）１０３に差し込まれたプラグ１０２を介して供給される電力に基づいて発光する。ここで、光源１００は、１００Ｖに近い電圧、２アンペアオーダーの比較的大電流で発光するものを想定している。即ち、ＡＣ電源１０３からプラグ１０２を介して供給されるＡＣ電力は、第１の電源部としての電源回路１０１において光源１００を発光させるのに適する大きさのＤＣ電力（図１（ａ）ではこの電力をＤＣ１と記している）に変換され、この変換された電力に基づく駆動電流が光源１００に供給されて光源１００が発光する。
【００１１】
また、光源１００の点灯時に、光と同時に発生する熱は、ファン等で構成された冷却部１０４を駆動させることよって冷却する。ここで、冷却部１０４のファンは、強い空気の流れを発生させるため大きな羽根を有しており、回転させるのに大きな電力が必要である。したがって、通常はＡＣ電源１０３から供給される電力に基づいて電源回路１０１が発生させた電力ＤＣ１が、冷却部１０４のファン回転用の電力となる。
【００１２】
このような構成において、図１（ｂ）のように、ＡＣ電源１０３からプラグ１０２が抜かれると、光源１００及び冷却部１０４への電力供給が断たれるので、光源１００が消灯すると共に、冷却部１０４のファンも停止して、余熱の冷却が行われなくなり、光学機器２００内の各部が熱によって劣化してしまうおそれがある。
【００１３】
そこで本一実施形態では、ＡＣ電源１０３からプラグ１０２が抜かれても冷却部１０４の動作が継続されるように、光学機器２００に予備電源を装着できるようにしている。この予備電源として、本一実施形態では、光学機器２００を遠隔操作するためのリモコン１１０の電源（電池）１１２を利用する。即ち、リモコン１１０は、光学機器２００に着脱自在に構成されており、装着時に光学機器２００のコネクタ１０８とリモコン１１０とコネクタ１１１とで電気的接続がなされるようになっている。そして、リモコン１１０に装填された第２の電源部（電池）１１２による電力（ＤＣ２）によって冷却部１０４のファンの回転を継続させようにして、余熱の冷却を行うようにしている。これによってプラグ１０２が抜かれても壊れにくい光学機器を提供することができる。
【００１４】
ここで、冷却部１０４を電源回路１０１側（即ちＡＣ電源１０３）から供給される電力によって駆動する第１の駆動モードと、冷却部１０４をリモコン１１０の電池１１２側から供給される電力によって駆動する第２の駆動モードとの間の切り換えは、光学機器２００内部のスイッチ１０９のスイッチ状態を切り換えることによって行う。このスイッチ１０９の切り換えは、切換制御部としての制御部１０６によって制御される。
【００１５】
即ち、本一実施形態では電源回路１０１からの電力供給が停止したことを、電源回路１０１の電圧状態を検出する検出部１１７において検出する。この検出結果に基づいて制御部１０６がスイッチ１０９を切り換えると、リモコン１１０内の電池１１２によって冷却部１０４のファンの回転が継続される。ここで、リモコンの電池は１０００ｍＡｈ程度の電流供給能力があるので、仮に１００ｍＡの電流が必要でも、１０時間の電流供給が可能である。なお、リモコン１１０は、ユーザによる操作ボタン１１５の操作に応じて、所定の光信号を送信部１１３から送信することにより、光学機器２００を遠隔操作するものである。光学機器２００側は、リモコン１１０から送信された光信号を受信部１０７において受信し、この受信した光信号に基づいて各種の制御を実行する。また、本一実施形態では、リモコン１１０に警告部１１４が設けられており、電池１１２の容量が減少すると警告部１１４において警告がなされるようになっている。この警告は表示による警告でも良いし、音声などによる警告でも良い。また、光学機器２００側にも、同様の警告部１１６が設けられており、冷却部１０４に供給される電力が不十分である場合には、警告が行われるようになっている。
【００１６】
ここで、制御部１０６は、通常時は電源回路１０１から電力が供給されているが、プラグ１０２が抜かれて電源回路１０１からの電力供給が断たれたときには、第１の電源部、第２の電源部とは異なる第３の電源部によって電力が供給されるように構成されている。この第３の電源部として、本一実施形態では、コンデンサ１０５を用いている。即ち、プラグ１０２がＡＣ電源１０３に差し込まれている間は、電源回路１０１によってコンデンサ１０５が充電される。一方、プラグ１０２がＡＣ電源１０３から抜かれたときには、コンデンサ１０５の放電が開始され、この放電による電力（ＤＣ３）によって制御部１０６の動作が継続する。
【００１７】
また、例えば制御部１０６を、光源１００や冷却部１０４のような大電流が必要なく、マイクロアンペアオーダーの微小電流で駆動できるマイクロコントローラによって構成するようにしておけば、１００μＦオーダーのアルミ電解コンデンサによって５分程度制御部１０６を駆動することができる。この程度のコンデンサであれば、光学機器内への実装も問題なく可能である。一方、冷却部１０４のファンの駆動には、桁違いの電流が必要となるので、こうした現実的に実装可能なサイズのコンデンサでは十分な電力供給が行えない。
【００１８】
図２（ａ）は、図１（ａ）及び図１（ｂ）の光学機器の一例としてのプロジェクタの外観図である。図２（ａ）に示すように、プロジェクタ本体２００の前面には投影レンズ２０１が設けられ、その奥に光源が配置される。また、画像をスクリーン等に投影する際の、画像の切り換えなどの操作指示を行うためにリモコン１１０がある。
【００１９】
プロジェクタとして利用している時には、リモコン１１０の操作ボタン１１５の操作に従って、送信部１１３から所定の光信号が送信される。この光信号がプロジェクタ本体２００の受信部１０７において受信されて画像の切り換え等の各種制御が行われる。ここで、プロジェクタ本体２００を収納する時には、図２（ｂ）のようにして、プロジェクタ本体２００にリモコン１１０を装着できる。この装着時では、リモコン１１０内部の電池１１２からプロジェクタ本体２００のファンへの電力供給が可能である。
【００２０】
なお、装着の方法としては、図３（ａ）のようにプロジェクタ本体２００とリモコン１１０に、嵌合部２００ａ、１１０ａを設けておき、リモコン１１０の嵌合部１１０ａをプロジェクタ本体２００の嵌合部２００ａに沿ってスライドさせるようにして嵌め込むような方法を採用しても良い。また、図３（ｂ）のようにリモコン１１０をプロジェクタ本体２００の上方から接触させると、レバー２００ｂが作動してリモコン１１０が固定されるような方法を採用してもよい。
【００２１】
次に、プロジェクタ内の制御部１０６によって制御される、プロジェクタのメイン動作について図４を参照して説明する。  
制御部１０６は、ユーザによって画像の投影開始が指示されたか否か、即ち光源１００の点灯を開始するか否かを判定する（ステップＳ１）。光源１００の点灯を開始すると判定した場合には、ステップＳ１をステップＳ２に分岐してＡＣ電源１０３から電力が供給されているか否かを判定する（ステップＳ２）。電力供給がなされていないと判定した場合には、ステップＳ２をステップＳ３に分岐して警告部１１６による警告を行い（ステップＳ３）、プロジェクタの動作を終了する。一方、ステップＳ２の判定において、電力供給がなされていると判定した場合には、ステップＳ２をステップＳ４に分岐して冷却部１０４のファンを回転させた後（ステップＳ４）、光源１００を点灯させる（ステップＳ５）。
【００２２】
光源１００が点灯することにより、画像投影が開始される。その後、制御部１０６は、ユーザによる画像切換の指示がリモコン１１０によってなされたか否かを判定し（ステップＳ６）、画像切換の指示がなされた場合には、ステップＳ６をステップＳ７に分岐して画像の切り換えを行う（ステップＳ７）。一方、ステップＳ６の判定において画像切換の指示がなされていない場合には、ユーザにより画像投影終了の指示がなされたか否か、即ち光源１００の消灯を開始するか否かを判定する（ステップＳ８）。そして、光源１００の消灯指示がなれた場合には、ステップＳ８をステップＳ９に分岐して、光源１００を消灯する（ステップＳ９）。
【００２３】
ここで、光源１００の消灯時に冷却部１０４のファンを止めてしまうと、光源１００の余熱によって機器内部の温度が上昇し、各部（特に光源１００のランプ）にダメージを与えるおそれがあるので、以後の処理で所定時間ｔ０の間だけ、ファンの回転を継続させる。なお、プロジェクタ内に温度センサを内蔵するようにして、この温度センサによって検出される温度が所定の温度以下になるまでファンの回転を継続するようにしてもよい。
【００２４】
即ち、ステップＳ９の後、所定時間ｔ０の計時のために、機器内部に設けられた図示しないカウンタのカウント値ｔを０にリセットとする（ステップＳ１０）。そして、カウンタによる計時を開始する（ステップＳ１１）。次に、冷却部１０４のファンの回転を継続させるための電源を選択する。即ち、制御部１０６は、ＡＣ電源１０３から電力が供給されているか否かを判定し（ステップＳ１２）、ＡＣ電源１０３から電力が供給されている場合には、ステップＳ１２をステップＳ１３に分岐して、カウンタのカウント値ｔがｔ０を超えたか否かを判定する（ステップＳ１３）。そして、ｔがｔ０を超えるまでファンの回転を継続する。一方、ステップＳ１３の判定において、ｔがｔ０を超えた場合には、ステップＳ１３をステップＳ１４に分岐してファンを停止させる（ステップＳ１４）。即ち、ステップＳ１２の判定において、ＡＣ電源１０３からの電力供給があると判定された場合には、連続的に電力供給が可能なＡＣ電源１０３側を優先したファン駆動を行う。
【００２５】
また、ステップＳ１２の判定において、ＡＣ電源１０３から電力が供給されていない場合には、ステップＳ１２をステップＳ１５に分岐して、スイッチ１０９をリモコン１１０側に切り換える（ステップＳ１５）。ただし、スイッチ１０９の切り換えを行っても、リモコン１１０が装着されていなければ電力の供給は行われないので、制御部１０６は、リモコン１１０側から電力供給が行われているか否かを判定し（ステップＳ１６）、例えばリモコン１１０が図２（ｂ）のように接続されていない場合や、電池１１２の容量がないなどの理由で電力供給が行われていない場合には、ステップＳ１６をステップＳ１７に分岐して警告を行う（ステップＳ１７）。一方、ステップＳ１６の判定において、リモコン１１０からの電力供給がある場合には、ステップＳ１６からステップＳ１３に移行して、上記したのと同様にしてファンの回転制御を続ける。
【００２６】
図５は、プロジェクタ本体２００の内部ブロック図である。制御部１は図１の制御部１０６に相当するものであり、マイクロコントローラ等で構成される演算制御部（ＣＰＵ）である。制御部１は、冷却部のファンの制御のみならず、操作スイッチ群１ａの操作やリモコン１１０から送信された光信号等に応じて、再生機器３００に格納された画像データ９を再生する際の、ＬＣＤやＤＭＤ（デジタルミラーデバイス）等からなる画素形成部３の制御も行う。即ち、再生機器３００に格納された画像データは、画像形成部８においてリサイズ処理等が行われて投影に適する形の画像データに変換され、この変換された画像データに基づいて、制御部１は、画素形成部３における画素の切換制御を行う。このとき、光源回路７ａによって発光するランプ７の光が、画素形成部３、投影レンズ２を介して壁面２５に投射され、画像の投影が行われる。ここで、光源回路７ａ、ランプ７は図１の光源１００に対応するものである。
【００２７】
また、このプロジェクタには、受光レンズ４を介して入射する光を受光するセンサ５が内蔵されており、このセンサ５に入射した光の光量に依存する信号が受光回路６から出力される。またランプ７の発熱によってプロジェクタ本体２００は熱を持ちやすいが、このときの温度変化を検出するために、温度センサ１１が内蔵されており、過熱時には、ファンなどで構成される冷却部１３によってランプ７が冷却される。また、温度変化によって投影レンズ２の焦点距離も変化するので、投影レンズ２のピント合わせ時には、温度センサ１１の測温結果を用いて焦点距離の補正もなされる。ピント合わせ時において、投影レンズ２はモータ等のアクチュエータからなるレンズ駆動部１０によって駆動される。
【００２８】
画像データ９が格納される再生機器３００の一例としては、図６のようなデジタルカメラがある。ここに格納された画像データ９とは別に、プロジェクタ内部のメモリ１２内には、図６のように、投影面の１部のみを線状に照明する基準投影像２６のデータが格納されている。例えば投影レンズ２のピント合わせ時には、この線状の基準投影像２６を壁面２５に対して図面矢印方向に順次投影していく。このとき、所定の位置に基準投影像が投影されると、その位置をモニタしていたセンサ５が反応し、入射光量が大きくなったという信号を、受光回路６を介して出力する。
【００２９】
次に、このような構成において、壁面２５までの距離Ｌを求める手法を説明する。画像形成部８は、画像データ９に基づいて再生用の画像データを形成する前に、メモリ１２に格納されている基準投影像２６のデータを、制御部１を介して受けとり、図７（ａ）のように投影画像２１の一部（参照符号２６で示した部分）のみが明るく投影されるような画像データを形成する。そして、この画像データを、上記したように図７（ａ）のような状態から図７（ｂ）のような状態に変化させる。図７（ａ）のような状態にするには、図５の参照符号２７ａに基準投影像２６が投影されるように、画素形成部３の所定部分の画素の切り換えを行う。例えば、この所定部分が投影レンズ２の光軸から右側にｘだけシフトした部分である場合、投影レンズ２、受光レンズ４の主点間距離をＢとし、投影レンズ２の焦点距離をｆとすると、
Ｌ＝Ｂ・ｆ／ｘ
の関係で壁面２５までの距離Ｌが求められる。ただし、センサ５は受光レンズ４の光軸上に配置されているものとする。更に近い距離Ｌ２に壁面２５がある場合には参照符号２７ａではなく参照符号２７ｂの方向に基準投影像２６を投影した時にセンサ５に強い光が入射する。
【００３０】
次に、図８のフローチャートを用いてこのような構成におけるプロジェクタのピント合わせの手法について説明する。このフローチャートの処理は制御部１による自動焦点制御である。
【００３１】
まず、投影レンズ２の焦点距離ｆを所定値にするために、投影レンズ２の繰り出し位置を所定の位置にリセットする（ステップＳ２１）。次に上記ｘを０にして（ステップＳ２２）、このｘを所定シフト量Δｘずつインクリメントしながら（ステップＳ２３）、基準投影像２６の投影を行っていく（ステップＳ２４）。そして、この時に受光レンズ４を介してセンサ５に入射する光の光量Ｐｘを検出する（ステップＳ２５）。
【００３２】
次に、制御部１はｘのシフト量が所定シフト量に達したか否か、即ち投影を終了するか否かを判定し（ステップＳ２６）、ｘのシフト量が所定シフト量に達するまで、ステップＳ２３からステップＳ２５の処理を繰り返し行う。
【００３３】
一方、ステップＳ２６の判定おいて、ｘのシフト量が所定シフト量に達した場合には、ステップＳ２６をステップＳ２７に分岐してＰｘが最大値になった時のｘの位置ｘ０を検出し（ステップＳ２７）、このｘ０に基づいて距離Ｌを求める（ステップＳ２８）。そして、求めた距離Ｌに対してピントが合わされるように投影レンズ２のピント合わせを行う（ステップＳ２９）。これは、図示しないエンコーダにより投影レンズ２のレンズ位置を検出しながら、レンズ駆動部１０によって投影レンズ２を駆動することによって行う。
【００３４】
なお、図８においてｘ０を検出する際に、シフト量Δｘを細かくすると検出の精度が上がるが、あまりに細かくしすぎると、検出に時間がかかってしまう。そこで、検出の最初のうちはΔｘを粗く設定しておき、おおまかな距離を求めてから、Δｘを細かくして微調整するようにしてもよい。
【００３５】
また、ピント合わせが手動で行われる際には、制御部１は、図９のような制御を行う。即ち、ユーザによるリモコン１１０の操作によって送信されるピント合わせ指示の信号を受信したか否かを判定し（ステップＳ３１）、信号を受信した場合には基準投影像２６の投影を行う（ステップＳ３２）。
【００３６】
更に、制御部１は、受信した信号が繰り出し指示の信号であるか否かを判定し（ステップＳ３３）、繰り出し指示の信号の場合には投影レンズ２の繰り出しを行い（ステップＳ３４）、繰り込み指示の信号の場合には投影レンズ２の繰り込みを行う（ステップＳ３５）。なお、マニュアル時において、ユーザは、目視でピントを合せる必要があるので、上記基準投影像２６を投影しておき目視でもチェックしやすいようにしている。ピントが合ったあとは基準投影像２６の投影を終了する（ステップＳ３６）。このような処理を行うことにより、マニュアルによるピント合わせにおいてもユーザが操作しやすい。
【００３７】
また、次のような三角測距を利用した手法でも良い。図１０（ａ）のように、投影レンズ２から出力された光の、壁面２５からの反射光を、受光レンズ４を介してセンサ５で受光した時に、投影レンズ２のピントが所定レンズ位置ＬＤ１の位置で合っていれば、図１０（ｂ）のように受光光量に明解なコントラストを生じ、ピントが合っておらずＬＤ２の位置であると、受光光量の変化がなだらかになって、コントラストが低下することがわかる。即ち、各レンズ位置において、受光光量の検出結果から生じるコントラスト差を、図１１（ａ）のようにインジケータ表示（バー表示）２２として表示するようにすれば、ユーザは投影画面中のバー表示２２を見ながら、ピントを合せることができ、視力の悪い人でも、リモコン操作によって最適なピント位置にピント合わせレンズを調節することができる。このような処理は、図１２に従ってなされる。即ち、ユーザが投影レンズ２の手動駆動を行うと（ステップＳ４１）、制御部１は、センサ５を介して光量の検出を行い、コントラスト差を検出する（ステップＳ４２）。そして、検出したコントラスト差に応じてバー表示２２の切り換えを行う（ステップＳ４３）。
【００３８】
即ち、図１１（ｂ）のような本来投影したい画像のピントが合っていない時には、ユーザが所定のピント合わせ操作を行うと、図１１（ａ）のように、ピント合わせ用の画像として、基準投影像２６と共にコントラスト差を示すバー表示２２が投影される。なお、ピント合わせ操作が終了すると、ユーザによるピント合わせ終了の操作を受けて図１１（ｂ）のようなもとの画像を投影する。若しくは、所定時間ユーザによるピント合わせ操作がない場合にもとの画像を投影するようにしても良い。
【００３９】
以上説明したように、本一実施形態によれば、多様な操作を行えるリモコンの投光エネルギー源を、冷却部のファンの動力にも利用できるようにしたので、プロジェクタ側の電力が不意に断たれても冷却部の動作を継続させることができる。また、プロジェクタ等の光学機器を使用した後、すぐにリモコンを装着すれば、その時点でプラグを抜いて、光学機器を別の場所に移動させることができる。これにより、機器の携帯性を高めて使いやすい光学機器を提供できる。
【００４０】
なお、光学機器の例として、本一実施形態ではプロジェクタの例について説明したが、本一実施形態を、光ファイバーの先から観察のための光を投射して対象物を照明する内視鏡や顕微鏡等の光源の冷却に応用することも可能である。
【００４１】
以上実施形態に基づいて本発明を説明したが、本発明は上記した実施形態に限定されるものではなく、本発明の要旨の範囲内で種々の変形や応用が可能なことは勿論である。
【００４２】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００４３】
【図１】本発明の一実施形態に係る光学機器の概念的な構成について示すブロック図である。
【図２】本発明の一実施形態に係る光学機器の一例としてのプロジェクタの外観斜視図である。
【図３】プロジェクタ本体にリモコンを装着する際の装着方法の例について示す図である。
【図４】プロジェクタのメイン動作の制御について示すフローチャートである。
【図５】プロジェクタの詳細な構成について示したブロック図である。
【図６】プロジェクタとデジタルカメラとを接続して画像投影を行うときの例を示す図である。
【図７】基準投影像の例を示す図である。
【図８】投影レンズのピント合わせ制御について示すフローチャートである。
【図９】手動により投影レンズのピント合わせを行う際に制御部によってなされる処理について示すフローチャートである。
【図１０】図１０（ａ）は三角測距方式の構成について示した図であり、図１０（ｂ）はレンズの駆動時間とセンサの受光量との関係を示した図である。
【図１１】図１１（ａ）はコントラスト差のインジケータ表示の例を示す図であり、図１１（ｂ）はインジケータ表示がなされていない状態の画像の例を示す図である。
【図１２】コントラスト差をインジケータ表示する際の制御について示すフローチャートである。
【符号の説明】
【００４４】
１，１０６…制御部、１ａ…操作スイッチ群、２…投影レンズ、３…画素形成部、４…受光レンズ、５…センサ、６…受光回路、７…ランプ、７ａ…光源回路、８…画像形成部、１０…レンズ駆動部、１１…温度センサ、１２…メモリ、１３，１０４…冷却部、１００…光源、１０１…電源回路、１０２…プラグ、１０３…ＡＣ電源、１０５…コンデンサ、１０７…受信部、１０８，１１１…コネクタ、１０９…スイッチ、１１２…電池、１１３…送信部、１１４，１１６…警告部、１１５…操作ボタン
【図１】
2005274785.tif 000003
【図２】
2005274785.tif 000004
【図３】
2005274785.tif 000005
【図４】
2005274785.tif 000006
【図５】
2005274785.tif 000007
【図６】
2005274785.tif 000008
【図７】
2005274785.tif 000009
【図８】
2005274785.tif 000010
【図９】
2005274785.tif 000011
【図１０】
2005274785.tif 000012
【図１１】
2005274785.tif 000013
【図１２】
2005274785.tif 000014